【事件の表示】
　特願２００４−１８７４３９「液晶表示装置ならびにその駆動回路および駆動方法」拒絶査定不服審判事件〔平成１８年　１月１２日出願公開、特開２００６−　１１００４〕について、次のとおり審決する。
【結　論】
　本件審判の請求は、成り立たない。
【理　由】
１　手続の経緯
　平成１６年　６月２５日　特許出願
　平成２０年　６月　３日　拒絶理由通知（同年６月１０日発送）
　平成２０年　７月３０日　意見書・手続補正書
　平成２１年　８月３１日　拒絶査定（同年９月８日送達）
　平成２１年１１月２７日　本件審判請求
　
２　原査定の拒絶の理由の概要
　原査定の拒絶の理由の概要は、以下のとおりである。
　特許請求の範囲の請求項１〜４には、補助容量電極駆動信号の電位と共通電極の電位との間に所定の電位差を保つための発明特定事項が記載されていないから、請求項１〜４には、発明の詳細な説明に記載された課題を解決するための手段が記載されているとはいえない。
　したがって、この出願は、特許請求の範囲の記載が、特許法第３６条第６項第１号に規定する要件を満たしていない。
　
３　当審の判断
　当審合議体も、本願の特許請求の範囲の記載は、特許法第３６条第６項第１号の規定に適合せず、本願は同条第６項に規定する要件を満たしていないと判断する。その理由は、以下のとおりである。
　
３−１　特許を受けようとする発明
　特許出願人が特許を受けようとする発明を特定するために必要と認める事項の全てが、特許請求の範囲の請求項１〜４に区分して記載されているところ、請求項１〜４の記載は以下のとおりである。（請求項１、４は、平成２０年７月３０日付け手続補正により補正された特許請求の範囲の請求項１、４であり、請求項２、３は、願書に最初に添付した特許請求の範囲の請求項２、３である。）
　
「【請求項１】
　画像を表示するためにマトリクス状に配置された画素電極と、第１の所定容量である液晶容量が形成されるように前記画素電極と対向して設けられ所定期間毎に高電位と低電位とに交互に設定される共通電極と、第２の所定容量である補助容量が形成されるように前記画素電極と同一基板上に設けられ前記共通電極が高電位と低電位とに交互に設定されるのと同じタイミングで高電位と低電位とに交互に設定される補助容量電極と、前記補助容量電極を駆動するための補助容量電極駆動信号を伝達する補助容量電極駆動信号線とを備える表示部を駆動する駆動回路であって、
　前記補助容量電極駆動信号の電位の上限値をグランド電位に設定する補助容量電位設定回路を備えることを特徴とする駆動回路。
【請求項２】
　前記補助容量電極駆動信号を前記補助容量電極駆動信号線に出力する補助容量電極駆動回路を備え、
　前記補助容量電位設定回路は、整流素子と容量素子とを含み、
　前記整流素子のアノードは、前記補助容量電極駆動信号線と接続され、
　前記整流素子のカソードは、グランド配線と接続され、
　前記整流素子のアノードと前記補助容量電極駆動信号線との接続点は、前記容量素子を介して前記補助容量電極駆動回路と接続されていることを特徴とする、請求項１に記載の駆動回路。
【請求項３】
　請求項１または２に記載の駆動回路を備えた液晶表示装置。
【請求項４】
　画像を表示するためにマトリクス状に配置された画素電極と、第１の所定容量である液晶容量が形成されるように前記画素電極と対向して設けられ所定期間毎に高電位と低電位とに交互に設定される共通電極と、第２の所定容量である補助容量が形成されるように前記画素電極と同一基板上に設けられ前記共通電極が高電位と低電位とに交互に設定されるのと同じタイミングで高電位と低電位とに交互に設定される補助容量電極と、前記補助容量電極を駆動するための補助容量電極駆動信号を伝達する補助容量電極駆動信号線とを備える表示部の駆動方法であって、
　前記補助容量電極駆動信号の電位の上限値をグランド電位に設定することを特徴とする駆動方法。」
　
３−２　発明の詳細な説明に記載した発明
（１）　発明の詳細な説明の記載事項
ア　技術分野についての記載
「【０００１】
　本発明は、液晶表示装置の駆動回路および駆動方法に関し、特に、補助容量電極を駆動するための駆動回路および駆動方法に関する。」
　
イ　背景技術についての記載
「【０００２】
　近年、スイッチング素子としてＴＦＴ（Ｔｈｉｎ　Ｆｉｌｍ　Ｔｒａｎｓｉｓｔｏｒ：薄膜トランジスタ）を備えるアクティブマトリクス型液晶表示装置が知られている。この液晶表示装置は、互いに対向する２枚の絶縁性の基板から構成される液晶パネルを備えている。液晶パネルの一方の基板には、走査信号線（ゲートバスライン）と映像信号線（ソースバスライン）とが格子状に設けられ、走査信号線と映像信号線との交差点近傍にＴＦＴが設けられている。ＴＦＴは、走査信号線から分岐しているゲート電極、映像信号線から分岐しているソース電極、およびドレイン電極とから構成される。ドレイン電極は、画像を形成するために基板上にマトリクス状に配置された画素電極と接続されている。また、液晶パネルの他方の基板には、画素電極との間に電圧を印加するための電極（以下「共通電極」という）が設けられており、画素電極と共通電極とによって液晶容量が形成されている。
【０００３】
　このような液晶表示装置では、各走査信号線を１水平走査期間ずつ順次に選択するために、アクティブな走査信号の各走査信号線への印加が１垂直走査期間を周期として繰り返される。このため、各液晶容量に蓄積された電荷は、ほぼ１垂直走査期間保持されなければならない。ところが、液晶容量だけではその蓄積された電荷が保持されないので、液晶容量と並列に補助容量が設けられている。
【０００４】
　図５は、従来の液晶表示装置のＴＦＴ近傍を示す回路図である。ＴＦＴ５１のゲート電極５７は走査信号線ＧＬと接続され、ソース電極５８は映像信号線ＳＬと接続され、ドレイン電極５９は画素電極５２と接続されている。また、液晶容量５５と補助容量５６とが並列に設けられている。液晶容量５５は画素電極５２と共通電極５３とによって形成され、補助容量５６は画素電極５２と補助容量電極５４とによって形成されている。
【０００５】
　ところで、上述のような液晶表示装置では、補助容量電極５４は画素電極５２と同一の基板上に設けられており、製造不良等により画素電極５２と補助容量電極５４との間にはリーク電流が生じる可能性がある。…。図５に示す構成において画素電極５２と補助容量電極５４との間にリーク電流が生じているとき、…、画素電極５２の電位と補助容量電極５４の電位とは等しくなる。その結果、液晶容量５５には補助容量電極５４と共通電極５３との電位差に相当する電圧が印加される。ここで、従来より、補助容量電極５４の電位（以下「ＣＳ電位」という）Ｖｃｓと共通電極５３の電位（以下「ＣＯＭ電位」という）Ｖｃｏｍとは等しくなるように駆動されている。このため、例えばノーマリホワイト方式が採用されている液晶表示装置においては、上述のようなリーク電流が生じたところは輝点として視認される。これは輝点欠陥と呼ばれており、従来より、このような輝点欠陥についてはレーザー等により黒く表示する処置（黒点化）が施されている。
【０００６】
　そこで、ＣＳ電位ＶｃｓとＣＯＭ電位Ｖｃｏｍとの間に常に所定の電位差が生じるように補助容量電極５４と共通電極５３とを駆動する液晶表示装置が提案されている。図７は、その液晶表示装置の全体構成を示すブロック図である。この液晶表示装置は、ゲート電源１００と表示制御回路２００と映像信号線駆動回路３００走査信号線駆動回路４００と液晶パネル５００と共通電極駆動回路６００と補助容量駆動回路７００とＣＳ電位設定回路８００とを備えている。液晶パネル５００の内部には、複数の走査信号線ＧＬと複数の映像信号線ＳＬとが互いに格子状に設けられており、その複数の走査信号線ＧＬと映像信号線ＳＬとの交差点にそれぞれ対応してスイッチ素子としてのＴＦＴ５１が設けられている。ＴＦＴ５１のゲート電極５７は走査信号線ＧＬと接続され、ソース電極５８は映像信号線ＳＬと接続され、ドレイン電極５９は画素電極５２と接続されている。画素電極５２と対向して共通電極５３が設けられ、画素電極５２と共通電極５３とによって液晶容量５５が形成されている。また、画素電極５２が設けられている基板上には補助容量電極５４も設けられており、画素電極５２と補助容量電極５４とによって補助容量５６が形成されている。走査信号線ＧＬは走査信号線駆動回路４００と接続され、映像信号線ＳＬは映像信号線駆動回路３００と接続されている。補助容量電極５４は補助容量電極駆動信号線ＣｓＬと接続され、補助容量電極駆動信号線ＣｓＬは補助容量電極駆動回路７００と接続されている。なお、液晶パネル５００の内部の構成については、説明の便宜上、一部のみを示している。
【０００７】
　補助容量電極５４を駆動するための補助容量電極駆動信号は補助容量電極駆動回路７００より出力される。ところで、補助容量電極駆動信号によって補助容量電極５４に与えられるＣＳ電位Ｖｃｓの上限値は後述のようにＣＳ電位設定回路８００によって設定される。図７に示すように、ＣＳ電位設定回路８００は、ダイオード８１と、抵抗器８３、８４と、コンデンサ８５とを備えている。ダイオード８１のアノードは、補助容量電極駆動信号線ＣｓＬと接続されている。一方、ダイオード８１のカソードは、ゲートＯＦＦ電源ラインＧｏｆｆＬと接続されている。また、ゲートＯＦＦ電源ラインＧｏｆｆＬの一端はグランド配線８２と接続されている。ダイオード８１のアノードと補助容量電極駆動信号線ＣｓＬとの接続点ｂは、コンデンサ８５を介して補助容量電極駆動回路７００と接続されている。このような構成により、ＣＳ電位設定回路８００は、いわゆるクランプ回路として機能している。なお、ゲートＯＦＦ電源ラインＧｏｆｆＬとは、ゲート電源１００から走査信号線駆動回路４００に供給すべき電圧のうち低電位の電圧（以下「ゲートＯＦＦ電圧」という）を供給するための電源ラインのことである。また、ゲート電源１００から走査信号線駆動回路４００に供給すべき電圧のうち高電位の電圧を以下「ゲートＯＮ電圧」という。
【０００８】
　次に、図７、図８および図９を参照しつつ、補助容量電極５４の駆動について説明する。ダイオード８１のアノードと補助容量電極駆動信号線ＣｓＬとの接続点ｂは、コンデンサ８５の一端と接続されている。図８は、そのコンデンサ８５の他端と補助容量電極駆動回路７００との接続点ｄの電位の変化を示す波形図である。図９は、接続点ｂの電位の変化を示す波形図である。なお、図８および図９において、ダイオード８１のカソードとゲートＯＦＦ電源ラインＧｏｆｆＬとの接続点ａの電位を符号Ｖａで示し、接続点ｂの電位を符号Ｖｂで示し、接続点ｄの電位を符号Ｖｄで示している。また、接続点ｄの電位Ｖｄが高電位にあるときの電位Ｖｄと電位Ｖａとの電位差（Ｖｄ−Ｖａ）を符号Ｖｃで示し、接続点ｄの電位Ｖｄが低電位にあるときの電位Ｖｄと電位Ｖａとの電位差（Ｖａ−Ｖｄ）を符号Ｖｅで示している。補助容量電極駆動回路７００から１水平走査期間（１Ｈ）毎に高電位と低電位とが交互に現れる補助容量電極駆動信号が出力され、電位Ｖｄは図８に示すように変化する。電位Ｖｄが電位Ｖａより低いとき、電位Ｖｂと電位Ｖａとが同電位になるまで、電位Ｖｄの上昇にしたがって電位Ｖｂも上昇する。このとき、ダイオード８１は非導通状態となっている。電位Ｖｄがさらに上昇すると、電位Ｖｂと電位Ｖａとが同電位になった時からダイオード８１は導通状態となる。コンデンサ８５は、電位Ｖｄと電位Ｖａとの電位差に応じて充電される。また、電位Ｖｂは、電位Ｖａより高くなることはない。電位Ｖｄが下降すると、それにしたがって電位Ｖｂも下降する。このとき、電位Ｖｂは、電位Ｖａより、電位Ｖｄと電位Ｖａとの電位差（Ｖａ−Ｖｄ）とコンデンサ８５の充電による電位差との和に相当する電位差だけ低くなる。その結果、電位Ｖｂの変化は、図９に示すようなものとなる。ここで、接続点ｂと補助容量電極５４とは同電位にあるので、ＣＳ電位Ｖｃｓの変化も図９に示すようなものとなる。これに対して、ＣＯＭ電位Ｖｃｏｍも１水平走査期間（１Ｈ）毎に高電位と低電位とが交互に現れるように変化するが、その下限値はグランド電位ＧＮＤとほぼ等しくなっている。以上より、ＣＳ電位ＶｃｓとＣＯＭ電位Ｖｃｏｍの変化は図１０に示すようなものとなる。なお、ダイオード８１が導通する際には電圧降下が生じるが、その電圧降下は充分に小さいので、本説明においては無視している。
【０００９】
　図１０に示すように、ＣＳ電位ＶｃｓとＣＯＭ電位Ｖｃｏｍとの間には、常に所定の電位差が保たれている。リーク電流が生じると、上述したように液晶容量５５にはＣＳ電位ＶｃｓとＣＯＭ電位Ｖｃｏｍとの電位差に相当する電圧が印加される。ノーマリホワイト方式が採用されている液晶表示装置の場合、ＣＳ電位ＶｃｓとＣＯＭ電位Ｖｃｏｍとが同電位であればリーク電流が生じているところは輝点となるが、ＣＳ電位ＶｃｓとＣＯＭ電位Ｖｃｏｍとの間に常に所定の電位差を保つことによりリーク電流が生じているところを黒表示とすることができる。
【特許文献１】特開平２００１−１８８２１７号公報」（当審注：特開平２００１−１８８２１７号公報とあるのは、特開２００１−１８８２１７号公報の誤記である。）
　
ウ　発明が解決しようとする課題についての記載
「【００１０】
　ところが、上述のような液晶表示装置によると、ゲートＯＦＦ電源ラインＧｏｆｆＬ等の電源ラインによって供給される電圧に基づいてＣＳ電位Ｖｃｓの上限値が設定される。このため、上述のようにＣＳ電位Ｖｃｓの上限値を設定するためにゲートＯＦＦ電源ラインＧｏｆｆＬを採用する場合、ゲート電源１００には、走査信号線駆動回路４００に供給するゲートＯＮ電圧、ゲートＯＦＦ電圧に加え、ＣＳ電位Ｖｃｓの上限値を設定するための電圧を供給することができる電源能力が必要となる。また、図７に示すようなＣＳ電位設定回路８００を構成するための部品等のコストも必要となっている。
【００１１】
　そこで、本発明では、消費電力の低減およびコストダウンを実現しつつリーク電流に起因する輝点欠陥の発生を防止することができる液晶表示装置ならびにその駆動回路および駆動方法を提供することを目的とする。」
　
エ　発明を実施するための最良の形態についての記載
「【００１９】
　以下、添付図面を参照しつつ本発明の実施形態について説明する。
【００２０】
　＜１．全体の構成および動作＞
　図１は、本発明の一実施形態に係る液晶表示装置の全体構成を示すブロック図である。この液晶表示装置は、ゲート電源１００と表示制御回路２００と映像信号線駆動回路３００走査信号線駆動回路４００と液晶パネル５００と共通電極駆動回路６００と補助容量電極駆動回路７００とＣＳ電位設定回路８００とを備えている。液晶パネル５００の内部には、複数の走査信号線ＧＬと複数の映像信号線ＳＬとが互いに格子状に設けられており、その複数の走査信号線ＧＬと映像信号線ＳＬとの交差点にそれぞれ対応してスイッチ素子としてのＴＦＴ５１が設けられている。ＴＦＴ５１のゲート電極５７は走査信号線ＧＬと接続され、ソース電極５８は映像信号線ＳＬと接続され、ドレイン電極５９は画素電極５２と接続されている。画素電極５２と対向して共通電極５３が設けられ、画素電極５２と共通電極５３とによって液晶容量５５が形成されている。また、画素電極５２が設けられている基板上には補助容量電極５４も設けられており、画素電極５２と補助容量電極５４とによって補助容量５６が形成されている。走査信号線ＧＬは走査信号線駆動回路４００と接続され、映像信号線ＳＬは映像信号線駆動回路３００と接続されている。補助容量電極５４は補助容量電極駆動信号線ＣｓＬと接続され、補助容量電極駆動信号線ＣｓＬは補助容量駆動回路７００と接続されている。なお、液晶パネル５００の内部の構成については、説明の便宜上、一部のみを示している。
【００２１】
　ゲート電源１００は、ゲートＯＮ電圧とゲートＯＦＦ電圧とを出力する。表示制御回路２００は、外部から画像データＤｖを受け取り、表示用の画像データＤａと、液晶パネル５００に画像を表示するタイミングを制御するための水平同期信号ＨＳＹ、垂直同期信号ＶＳＹ、クロック信号ＣＫおよびスタートパルス信号ＳＰを出力する。映像信号線駆動回路３００は、表示制御回路２００から出力された画像データＤａ、クロック信号ＣＫおよびスタートパルス信号ＳＰに基づき、液晶パネル５００を駆動するための映像信号を生成し、これを液晶パネル５００の各映像信号線ＳＬに印加する。走査信号線駆動回路４００は、各走査信号線ＧＬを１水平走査期間ずつ順次選択するために、表示制御回路２００から出力された水平同期信号ＨＳＹおよび垂直同期信号ＶＳＹに基づいて、アクティブな走査信号の各走査信号線ＧＬへの印加を１垂直走査期間を周期として繰り返す。
【００２２】
　共通電極駆動回路６００は、共通電極５３を駆動する。補助容量電極駆動回路７００は、補助容量電極５４を駆動するための補助容量電極駆動信号を出力する。ＣＳ電位設定回路８００は、後述するように、補助容量電極５４に与えるＣＳ電位Ｖｃｓの上限値を設定する。
【００２３】
　ＣＳ電位設定回路８００は、ダイオード（整流素子）８１とコンデンサ（容量素子）８５とを備えている。ダイオード８１のアノードは、補助容量電極駆動信号線ＣｓＬと接続されている。一方、ダイオード８１のカソードは、グランド配線８２と接続されている。ダイオード８１のアノードと補助容量電極駆動信号線ＣｓＬとの接続点ｂは、コンデンサ８５を介して補助容量電極駆動回路７００と接続されている。このような構成により、ＣＳ電位設定回路８００は、いわゆるクランプ回路として機能している。
【００２４】
　＜２．駆動方法＞
　次に、図１、図２および図３を参照しつつ、本実施形態における補助容量電極５４および共通電極５３の駆動方法について説明する。ダイオード８１のアノードと補助容量電極駆動信号線ＣｓＬとの接続点ｂは、コンデンサ８５の一端と接続されている。図２は、そのコンデンサ８５の他端と補助容量電極駆動回路７００との接続点ｄの電位Ｖｄの変化を示す波形図である。図３は、接続点ｂの電位Ｖｂの変化を示す波形図である。なお、図２および図３において、グランド電位をＧＮＤで示している。また、接続点ｄの電位Ｖｄが高電位にあるときの電位Ｖｄとグランド電位ＧＮＤとの電位差（Ｖｄ−ＧＮＤ）を符号Ｖｆで示し、接続点ｄの電位Ｖｄが低電位にあるときの電位Ｖｄとグランド電位ＧＮＤとの電位差（ＧＮＤ−Ｖｄ）を符号Ｖｇで示している。補助容量電極駆動回路７００から１水平走査期間（１Ｈ）毎に高電位と低電位とが交互に現れる補助容量電極駆動信号が出力され、電位Ｖｄは図２に示すように変化する。電位Ｖｄがグランド電位ＧＮＤより低いとき、電位Ｖｂがグランド電位ＧＮＤになるまで、電位Ｖｄの上昇にしたがって電位Ｖｂも上昇する。このとき、ダイオード８１は非導通状態となっている。電位Ｖｄがさらに上昇すると、電位Ｖｂがグランド電位ＧＮＤになった時からダイオード８１は導通状態となる。コンデンサ８５は、電位Ｖｄとグランド電位ＧＮＤとの電位差に応じて充電される。また、電位Ｖｂは、グランド電位ＧＮＤより高くなることはない。電位Ｖｄが下降すると、それにしたがって電位Ｖｂも下降する。このとき、電位Ｖｂは、グランド電位ＧＮＤより、電位Ｖｄとグランド電位ＧＮＤとの電位差（ＧＮＤ−Ｖｄ）とコンデンサ８５の充電による電位差との和に相当する電位差だけ低くなる。その結果、電位Ｖｂの変化は、図３に示すようなものとなる。ここで、接続点ｂと補助容量電極５４とは同電位にあるので、ＣＳ電位Ｖｃｓの変化も図３に示すようなものとなる。これに対して、ＣＯＭ電位Ｖｃｏｍも１水平走査期間（１Ｈ）毎に高電位と低電位とが交互に現れるように変化するが、ＣＯＭ電位Ｖｃｏｍについては下限値がグランド電位とほぼ等しくなっている。以上より、ＣＳ電位ＶｃｓとＣＯＭ電位Ｖｃｏｍの変化は図４に示すようなものとなる。
【００２５】
　＜３．作用＞
　図４に示すように、ＣＳ電位ＶｃｓとＣＯＭ電位Ｖｃｏｍとは同じタイミングで高電位と低電位とが繰り返される。ＣＳ電位Ｖｃｓについては、上限値がほぼグランド電位ＧＮＤに設定される。一方、ＣＯＭ電位Ｖｃｏｍについては、下限値がほぼグランド電位ＧＮＤに設定される。これにより、ＣＳ電位ＶｃｓとＣＯＭ電位Ｖｃｏｍとの間には、常に所定の電位差が保たれている。
【００２６】
　ここで、画素電極５２と補助容量電極５４との間にリーク電流が生じると、液晶容量５５にはＣＳ電位ＶｃｓとＣＯＭ電位Ｖｃｏｍとの電位差に相当する電圧が印加される。本実施形態においては図４で参照符号Ｖで示す電圧が印加される。このようにＣＳ電位ＶｃｓとＣＯＭ電位Ｖｃｏｍとの間には常に所定の電位差が保たれているので、ノーマリホワイト方式が採用されている液晶表示装置の場合、リーク電流が生じても輝点欠陥の発生を防止することができる。
【００２７】
　＜４．効果＞
　以上説明したように、本実施形態では、ＣＳ電位設定回路８００内において、ダイオード８１のアノードは補助容量電極駆動信号線ＣｓＬと接続され、ダイオード８１のカソードはグランド配線８２と接続されている。さらに、ダイオード８１のアノードと補助容量電極駆動信号線ＣｓＬとの接続点ｂは、コンデンサ８５を介して補助容量電極駆動回路７００と接続されている。これにより、ＣＳ電位設定回路８００がクランプ回路として機能し、ＣＳ電位Ｖｃｓの上限値がグランド電位に設定される。ＣＯＭ電位Ｖｃｏｍについては下限値がグランド電位に設定されているので、ＣＳ電位ＶｃｓとＣＯＭ電位Ｖｃｏｍとの間に所定の電位差を保つことができる。
【００２８】
　一方、従来においては、ＣＳ電位ＶｃｓとＣＯＭ電位Ｖｃｏｍとの間に所定の電位差を保つために、例えばゲートＯＦＦ電源ラインなど装置内の電源ラインより供給される電圧に基づいてＣＳ電位Ｖｃｓの上限値が設定されていた。本実施形態と従来例とを比較すると、本実施形態ではＣＳ電位ＶｃｓとＣＯＭ電位Ｖｃｏｍとの間に所定の電位差を保つために装置内の電源ラインを必要としていないので、本実施形態の方が消費電力を低減することができる。これにより、ゲート電源等に必要とされる電源供給能力が低減されるので、電源用のＩＣの小型化やコストダウンを図ることができる。さらに、本実施形態によると、従来例に比して、ＣＳ電位設定回路８００を構成するための部品を削減することができる。これにより、液晶表示装置のさらなる小型化やコストダウンを図ることができる。このように、リーク電流が生じた際に輝点欠陥の発生を防止することができ、なおかつ、従来よりも消費電力の低減、小型化およびコストダウンを図ることができる液晶表示装置を提供することができる。」
　
（２）発明の詳細な説明の記載事項の検討
（２−１）　従来の技術
　本願の発明の詳細な説明の【０００５】には、画素電極と共通電極によって形成される液晶容量と、前記画素電極と補助容量電極によって形成される補助容量が並列に設けられた液晶パネルを備える液晶表示装置の駆動回路として、前記補助容量電極の電位（以下「ＣＳ電位」ということがある。）Ｖｃｓと前記共通電極の電位（以下「ＣＯＭ電位」ということがある。）Ｖｃｏｍが等しくなるように駆動する駆動回路（以下「従来技術１」という。）が記載されている。そして、該従来技術１は、ＣＳ電位ＶｃｓとＣＯＭ電位Ｖｃｏｍが同電位であるから、ノーマリホワイト方式が採用されている液晶表示装置の場合、画素電極と補助容量電極との間にリーク電流（以下、単に「リーク電流」ということがある。）が生じているところが輝点となる問題を有することが開示されている。
　また、本願の発明の詳細な説明の【０００６】〜【０００９】には、前記従来技術１を改良した従来の駆動回路として、ゲート電源が供給する低電位の電圧を用い、ＣＳ電位設定回路がＣＳ電位Ｖｃｓの上限値を設定することで、前記ＣＳ電位Ｖｃｓと、下限値がグランド電位ＧＮＤにほぼ等しいＣＯＭ電位Ｖｃｏｍの間に常に所定の電位差を保つ駆動回路（以下「従来技術２」という。）が記載されている。該従来技術２は、ノーマリホワイト方式が採用されている液晶表示装置の場合、リーク電流が生じているところが黒表示になることが開示されている。
　
（２−２）　発明が解決しようとする課題
　上記従来技術２は、ノーマリホワイト方式が採用されている液晶表示装置の場合、リーク電流が生じているところが黒表示になるから、上記従来技術１の問題は生じないところ、本願の発明の詳細な説明の【００１０】には、ゲート電源１００にさらなる電源能力が必要となる問題、ＣＳ電位設定回路８００を構成するコストが必要となる問題のあることが記載されている。そして、本願の発明の詳細な説明の【００１１】には、本願の発明が解決しようとする課題として、「消費電力の低減およびコストダウンを実現しつつリーク電流に起因する輝点欠陥の発生を防止する」ことが記載されている。すなわち、本願の発明の詳細な説明に記載された発明が解決しようとする課題は、
　Ａ）消費電力の低減の実現、
　Ｂ）コストダウンの実現、
　Ｃ）リーク電流に起因する輝点欠陥の発生の防止、
の３つである。
　
（２−３）　課題を解決する手段
　本願の発明の詳細な説明の【００１２】〜【００１５】には、課題を解決するための手段として、特許請求の範囲の請求項１〜請求項４とほぼ同じ事項が記載されている。
　
（２−４）　発明の効果
　本願の発明の詳細な説明の【００１６】〜【００１８】には、補助容量電極に印加する補助容量電極駆動信号の電位の上限値をグランド電位に設定することにより、従来と同様に共通電極を駆動しても、補助容量電極と共通電極との間に所定の電位差を保つことができるため、補助容量にリーク電流が生じても、輝点欠陥の発生を防止できることが記載されている。そして、電源供給能力の低減、回路構成部品の削減等により、消費電力を低減し、コストダウンを実現することが記載されている。
　
（２−５）　発明の実施形態
　本願の発明の詳細な説明の【００１９】〜【００２８】に本願の発明の実施形態が記載されているところ、【００２０】〜【００２３】には、発明の実施形態の「全体の構成および動作」が記載されており、液晶表示装置が、ゲート電源１００、液晶パネル５００、共通電極駆動回路６００、補助容量電極駆動回路７００、及びＣＳ電位設定回路８００等を備えることが記載されている。また、前記液晶パネル５００の内部には、画素電極５２と共通電極５３によって形成される液晶容量５５、前記画素電極５２と補助容量電極５４によって形成される補助容量５６、ＴＦＴ５１、走査信号線ＧＬ、映像信号線ＳＬ、及び補助容量電極駆動信号線ＣｓＬを設けることが記載され、前記ＣＳ電位設定回路８００は、ダイオード８１とコンデンサ８５を備え、該ダイオード８１のカソードをグランド配線８２と接続し、クランプ回路として機能することが記載されている。
　本願の発明の詳細な説明の【００２４】には、発明の実施形態の「駆動方法」が記載されている。前記ダイオード８１が導通状態となることにより、前記ダイオード８１のアノードと前記補助容量電極駆動信号線ＣｓＬとの接続点ｂの電位Ｖｂ（補助容量電極５４の電位であるＣＳ電位Ｖｃｓも同電位である。）の上限値がほぼグランド電位ＧＮＤにクランプされることが記載されている。これに対して、ＣＯＭ電位Ｖｃｏｍの下限値はグランド電位ＧＮＤにほぼ等しいことが記載されている。
　本願の発明の詳細な説明の【００２５】〜【００２６】には、発明の実施形態の「作用」が記載されている。ＣＳ電位ＶｃｓとＣＯＭ電位Ｖｃｏｍは、上述のとおり、ＣＳ電位Ｖｃｓの上限値がほぼＧＮＤ電位に設定され、ＣＯＭ電位Ｖｃｏｍの下限値がほぼＧＮＤ電位に設定されるから、ＣＳ電位ＶｃｓとＣＯＭ電位Ｖｃｏｍとの間に常に所定の電位差が保たれ、ノーマリホワイト方式が採用されている液晶表示装置の場合、リーク電流が生じても輝点欠陥の発生を防止できることが開示されている。
　本願の発明の詳細な説明の【００２７】〜【００２８】には、発明の実施形態の「効果」が記載されている。ＣＳ電位Ｖｃｓとｃｏｍ電位Ｖｃｏｍとの間に所定の電位差を保つためのＣＳ電位Ｖｃｓの上限値の設定をグランド電位ＧＮＤに設定することで、電源ラインを必要とせず消費電力を低減できること、ＣＳ電位設定回路８００を構成するための部品を削減できるのでコストダウンを図れることが記載されている。
　
（３）　発明の詳細な説明に記載された発明
　上記「３−２　（２−１）」〜「３−２　（２−５）」の検討より、本願の発明の詳細な説明に記載された発明が解決しようとする課題は、画素電極と共通電極によって形成される液晶容量と、前記画素電極と補助容量電極によって形成される補助容量が並列に設けられた液晶パネルを備える液晶表示装置の駆動回路において、Ａ）消費電力の低減の実現、Ｂ）コストダウンの実現、Ｃ）リーク電流に起因する輝点欠陥の発生の防止、の３つである。
　前記課題を解決する手段について検討すると、「【０００９】…ノーマリホワイト方式が採用されている液晶表示装置の場合、…、ＣＳ電位ＶｃｓとＣＯＭ電位Ｖｃｏｍとの間に常に所定の電位差を保つことによりリーク電流が生じているところを黒表示とすることができる」ところ、本願の発明の詳細な説明に記載された発明は、【００１６】に記載されるように、補助容量電極に印加される補助容量電極駆動信号の電位の上限値をグランド電位に設定すると共に、「従来と同様に共通電極を駆動」することで、補助容量電極と共通電極との間に所定の電位差を保ち、上記Ｃ）の課題を解決している。ここで、共通電極について、「従来と同様に共通電極を駆動」とあるから、従来の記載「【０００８】…。これに対して、ＣＯＭ電位Ｖｃｏｍも１水平走査期間（１Ｈ）毎に高電位と低電位とが交互に現れるように変化するが、その下限値はグランド電位ＧＮＤとほぼ等しくなっている。…」を参照すると、従来はＣＯＭ電位Ｖｃｏｍの下限値をグランド電位ＧＮＤとほぼ等しく駆動しているから、「従来と同様に共通電極を駆動」するとは、下限の電位がグランド電位ＧＮＤとほぼ等しくなるよう共通電極を駆動する意味である。そうすると、上記Ｃ）の課題解決手段は、補助容量電極に印加される補助容量電極駆動信号の電位の上限値をグランド電位に設定すると共に、下限の電位がグランド電位ＧＮＤとほぼ等しくなるよう共通電極を駆動することであり、それによって、補助容量電極と共通電極との間に所定の電位差が保たれる。ここで、補助容量電極に印加される補助容量電極駆動信号の電位の上限値をグランド電位に設定するだけでは、補助容量電極と共通電極との間に所定の電位差を保つことはできないから、下限の電位がグランド電位ＧＮＤとほぼ等しくなるよう共通電極を駆動することは、上記Ｃ）の課題を解決する手段の一つである。
　本願の発明の詳細な説明に記載された発明は、上記Ａ）〜Ｃ）の３つの課題を解決する発明であるから、少なくとも、「下限の電位がグランド電位ＧＮＤとほぼ等しくなるよう共通電極を駆動すること」を備える発明である。
　
３−３　判断
　本願の特許を受けようとする発明が、発明の詳細な説明に記載したものであるか否か検討する。
（１）　対比
　本願の特許を受けようとする発明と、発明の詳細な説明に記載した発明とを対比する。
　上記「３−２　（３）」で検討したとおり、発明の詳細な説明に記載した発明は、「下限の電位がグランド電位ＧＮＤとほぼ等しくなるよう共通電極を駆動すること」を備える発明である。これに対し、特許請求の範囲の請求項１−４に記載された特許を受けようとする発明は、共通電極について「第１の所定容量である液晶容量が形成されるように前記画素電極と対向して設けられ所定期間毎に高電位と低電位とに交互に設定される共通電極」と特定しているものの、共通電極を駆動する電位を明記していない。
　
（２）　用語の意義
　審判請求人は、審判請求書の請求の理由において、「明細書の記載を考慮して特許請求の範囲に記載された用語の意義を解釈すると（特許法第７０条第２項）、共通電極についての電位がグランド電位である旨を把握することができる」と主張する。そこで、共通電極の電位が、その用語の意義からグランド電位ＧＮＤであると把握できるのか否か検討する。
　
（２−１）　本願の明細書と図面の検討
　本願の明細書を参酌すると、「【０００８】…これに対して、ＣＯＭ電位Ｖｃｏｍも１水平走査期間（１Ｈ）毎に高電位と低電位とが交互に現れるように変化するが、その下限値はグランド電位ＧＮＤとほぼ等しくなっている。」、「【００２４】…これに対して、ＣＯＭ電位Ｖｃｏｍも１水平走査期間（１Ｈ）毎に高電位と低電位とが交互に現れるように変化するが、ＣＯＭ電位Ｖｃｏｍについては下限値がグランド電位とほぼ等しくなっている。」、「【００２５】…一方、ＣＯＭ電位Ｖｃｏｍについては、下限値がほぼグランド電位ＧＮＤに設定される。」、「【００２７】…ＣＯＭ電位Ｖｃｏｍについては下限値がグランド電位に設定されている」との記載がある。また、本願の図面には、従来技術２のＣＯＭ電位Ｖｃｏｍの波形が図１０に、実施の形態のＣＯＭ電位Ｖｃｏｍの波形が図４に描かれており、ＣＯＭ電位Ｖｃｏｍの下限値はほぼグランド電位ＧＮＤである。してみると、本願の明細書と図面には、ＣＯＭ電位Ｖｃｏｍの下限値として、ほぼグランド電位であることが記載されている。
　
（２−２）　本願の先行技術を開示する特許文献１の検討
　本願の明細書の【０００９】には、先行技術を開示する文献として「【特許文献１】特開２００１−１８８２１７号公報」（以下「特許文献１」という。）が記載されている。特許文献１を参照すると、従来の技術（【０００２】〜【０００９】、図７〜図９）には、「【０００７】図９は、図７に示すアクティブマトリクス型液晶表示装置１のゲート信号配線１１およびコモン信号線１６を駆動する信号波形の概要を示す。補助容量配線１３は、コモン信号線１６と接続されているので、Ｃｏｍ信号とＣｓ信号とは同等である。図９（ａ）はゲート信号配線１１に印加されるゲート信号を示し、図９（ｂ）はコモン信号線１６に印加されるコモン信号を示し、図９（ｃ）はゲート信号およびコモン信号を重合わせた状態を示す。」との記載があり、図９（ｃ）には、高電位が＋Ｖｓ、低電位が−ＶｓでＧＮＤを中心に変動するＣｏｍ信号の信号波形図が描かれている。さらに、該特許文献１の実施の形態の駆動方法を示す信号波形図である図２、図５にも、同様の信号波形図が描かれている。ここで、特許文献１の「Ｃｏｍ信号」は、本願の「ＣＯＭ電位Ｖｃｏｍ」に相当し、特許文献１の「Ｃｓ信号」は、本願の「ＣＳ電位Ｖｃｓ」に相当する。してみると、特許文献１には、ＣＯＭ電位Ｖｃｏｍの下限値をグランド電位ＧＮＤより低い電位である−Ｖｓに設定することが開示されている。さらに、ＣＯＭ電位ＶｃｏｍとＣＳ電位Ｖｃｓを同電位にすることも開示されている。
　
（２−３）　技術常識
　ＣＯＭ電位Ｖｃｏｍは、画素電極と共に液晶容量を形成する共通電極の電位であるところ、液晶容量には画素電極の電位と共通電極の電位の差電圧が印加され、該差電圧に応じて階調が表示される。してみると、一般に、ＣＯＭ電位Ｖｃｏｍの下限値は、必ずしもグランド電位ＧＮＤである必要はなく、画素電極の電位との関係でグランド電位ＧＮＤと異なる電位をとり得ることは、技術常識である。
　
（２−４）　検討
　本願の明細書に記載された従来の技術や実施の形態には、ＣＯＭ電位の下限値をほぼグランド電位に設定した駆動回路が記載されている。また、本願の明細書に記載された先行技術を開示する特許文献１には、ＣＯＭ電位Ｖｃｏｍの下限値をグランド電位ＧＮＤと異なる電位に設定した駆動回路が開示されている。してみると、ＣＯＭ電位Ｖｃｏｍの下限値は必ずしもグランド電位ＧＮＤに特定されるものではなく、グランド電位ＧＮＤ以外の電位をとり得るもの解され、このことは技術常識とも合致する。そうすると、共通電極の電位が有する用語の意義を解釈しても、その低電位がグランド電位であると把握することはできない。
　
（３）　判断
　以上のことから、出願人が特許請求の範囲１〜４に記載した特許を受けようとする発明は、共通電極の電位を特定するものではなく、また、用語の意義を解釈しても、共通電極の電位を特定するものとは解されない。してみると、出願人が特許請求の範囲１〜４に記載した特許を受けようとする発明は、共通電極の電位の低電位をグランド電位ＧＮＤに設定してリーク電流に起因する輝点欠陥の課題を解決する発明（以下「前者の発明」という。）のみならず、ＣＯＭ電位ＶｃｏｍをＣＳ電位Ｖｃｓと等しく設定してリーク電流に起因する輝点欠陥が発生する発明（例えば、特許文献１の従来の技術参照。以下「後者の発明」という。）も含んでいる。よって、出願人が特許請求の範囲の請求項１〜４に記載した特許を受けようとする発明のうち、後者の発明については、発明の詳細な説明に記載された発明ではない。
　したがって、出願人が特許請求の範囲に記載した特許を受けようとする発明は、発明の詳細な説明に記載された発明ではないから、本願の特許請求の範囲の記載は特許法第３６条第６項第１号の規定に適合しない。よって、本願は同条第６項に規定する要件を満たしていない。
　
３−４　審判請求人の主張に対して　
（１）　請求人の主張
　請求人は、審判請求書の請求の理由の「３．記載不備の指摘事項に対する対処」において、
「ところで、共通電極の電位については、請求項１には『所定期間毎に高電位と低電位とに交互に設定される』としか記載されていない。しかしながら、明細書の段落０００８に『ＣＯＭ電位Ｖｃｏｍも１水平走査期間（１Ｈ）毎に高電位と低電位とが交互に現れるように変化するが、その下限値はグランド電位ＧＮＤとほぼ等しくなっている。』と記載されている。さらに、明細書の段落００２４にも『ＣＯＭ電位Ｖｃｏｍも１水平走査期間（１Ｈ）毎に高電位と低電位とが交互に現れるように変化するが、ＣＯＭ電位Ｖｃｏｍについては下限値がグランド電位とほぼ等しくなっている。』と記載されている。このように、従来例においても本願発明においても共通電極の電位の下限値はほぼグランド電位となっている。従って、明細書の記載を考慮して特許請求の範囲に記載された用語の意義を解釈すると（特許法第７０条第２項）、共通電極についての低電位がグランド電位である旨を把握することができる。このことから共通電極についての高電位がグランド電位よりも高い電位である旨を把握することができる。」
と記載し、記載不備はない旨主張する。
　
（２）　発明の認定
　特許請求の範囲に記載された発明の認定は、特許請求の範囲の記載に基づいて行うとともに、特許請求の範囲に記載された用語の意義は、発明の詳細な説明の記載を参照して解釈して行う。そして、特許請求の範囲の記載の技術的意義が一義的に明確に理解することができないとか、あるいは一見してその記載が誤記であることが発明の詳細な説明の記載に照らして明らかであるなどの特段の事情のない限り、用語の意義を参照する限度を超えて特許請求の範囲の記載にはなく発明の詳細な説明にだけ記載された技術事項を読み取り、特許請求の範囲の記載と異なった認定をすることは許されるものではない。
　ところで、審判請求人の上記主張のうち、用語の意義の解釈に際し、発明の詳細な説明の記載を参照しても「共通電極についての低電位がグランド電位である」ことを把握できないことは、上記「３−３　（２−４）」に記載したとおりである。しかし、用語の意義を参照する限度を超えて特許請求の範囲の記載にはなく発明の詳細な説明にだけ記載された技術事項を読み取ることが許される特段の事情があれば、「共通電極についての低電位がグランド電位である」ことを読み取る余地も考えられるので、以下に検討する。
　
（３）　検討
　本願の特許請求の範囲の請求項１〜４には、技術的意義が一義的に明確に理解することができない記載や、一見して誤記であることが明らかな記載はないところ、審判請求人は、本願の明細書の発明の詳細な説明の記載が「従来例においても本願発明においても共通電極の電位の下限値はほぼグランド電位となっている」ことを根拠に「共通電極についての低電位がグランド電位である旨を把握することができる」旨主張する。しかしながら、上記「３−３　（２−１）」〜「３−３　（２−４）」に記載したとおり、共通電極に設定する低電位をグランド電位ＧＮＤに設定することが液晶表示装置の技術分野における当業者の一般的な技術常識ではないことを考慮すると、明細書の発明の詳細な説明に共通電極の電位の下限値がほぼグランド電位となっているもののみが記載されていることをもって、特許請求の範囲の記載にはなく発明の詳細な説明にだけ記載された技術事項を読み取り、特許請求の範囲の記載と異なった認定をすることが許される特段の事情があるとすることはできない。
　よって、審判請求人の主張は採用できない。
　
４　むすび
　以上のとおり、本願の特許請求の範囲の記載は、特許法第３６条第６項第１号の規定に適合せず、本願は同条第６項に規定する要件を満たしていない。
　したがって、本願は拒絶すべきものである。
　よって、結論のとおり審決する。